(57)【要約】  本発明は、放射線照射方向及び放射線照射範囲の調節が可能な体内挿入デバイスに関し、長く延びている第１の外部体、長く延びている第２の外部体、及び前記第１の外部体と前記第２の外部体とを折り曲げられるように連結する折り曲げ部を含む外部体；前記第１の外部体の内部に位置し、放射線源が収容される収容空間を有する第１の内部体；前記第２の外部体の内部に位置し、放射線源が通過できる案内空間を有して回転を操作することができる第２の内部体；及び、前記外部体内で前記折り曲げ部に対応するように位置し、放射線源が通過できるように前記案内空間及び前記収容空間と連通されている連結空間を有し、前記第１の内部体と前記第２の内部体とを連結する内部連結部；を含み、前記収容空間は、前記第１の外部体との距離が異なる第１の収容空間と第２の収容空間とを含み、前記第２の内部体の回転により、前記第１の内部体は、前記第１の外部体と分離されて回転される。
2021500161.tif 000002
【特許請求の範囲】
【請求項１】
長く延びている第１の外部体、長く延びている第２の外部体、及び前記第１の外部体と前記第２の外部体とを折り曲げられるように連結する折り曲げ部を含む外部体；
前記第１の外部体の内部に位置し、放射線源が収容される収容空間を有する第１の内部体；
前記第２の外部体の内部に位置し、放射線源が通過できる案内空間を有して回転を操作することができる第２の内部体；及び、
前記外部体内で前記折り曲げ部に対応するように位置し、放射線源が通過できるように前記案内空間及び前記収容空間と連通されている連結空間を有し、前記第１の内部体と前記第２の内部体とを連結する内部連結部；を含み、
前記収容空間は、前記第１の外部体との距離が異なる第１の収容空間と第２の収容空間とを含み、
前記第２の内部体の回転により、前記第１の内部体は、前記第１の外部体と分離されて回転される挿入デバイス。
【請求項２】
前記第１の収容空間及び前記第２の収容空間は、前記第１の内部体に沿って長く形成されていることを特徴とする請求項１に記載の挿入デバイス。
【請求項３】
前記収容空間は、前記第１の内部体にトレンチ状に形成されていることを特徴とする請求項２に記載の挿入デバイス。
【請求項４】
前記収容空間内に位置する収容空間区画部材をさらに含み、前記第１の収容空間及び前記第２の収容空間が前記収容空間区画部材により分離されることを特徴とする請求項３に記載の挿入デバイス。
【請求項５】
前記内部連結部は、回転動力メカニズムを含むことを特徴とする請求項２に記載の挿入デバイス。
【請求項６】
前記回転動力メカニズムは、弾性軸、ベローズ、及びジョイントのうち少なくともいずれか一つを含むことを特徴とする請求項５に記載の挿入デバイス。
【請求項７】
前記内部連結部の一端は、前記第１の内部体に固定されており、他端は、前記第２の内部体に固定されていることを特徴とする請求項６に記載の挿入デバイス。
【請求項８】
前記第１の内部体は、前記第１の外部体より放射線遮蔽性能が高い物質からなることを特徴とする請求項２に記載の挿入デバイス。
【請求項９】
前記案内空間は、互いに分離されている第１の案内空間と第２の案内空間を含み、
前記連結空間内で前記第１の案内空間を前記第１の収容空間及び前記第２の収容空間のうちいずれか一つに連結する第１の収容ガイドと；
前記連結空間内で前記第１の案内空間を前記第１の収容空間及び前記第２の収容空間のうち他の一つに連結する第２の収容ガイドと；をさらに含むことを特徴とする請求項２に記載の挿入デバイス。
【請求項１０】
前記第１の収容ガイドと前記第２の収容ガイドは、内部に放射線源が通過できるチューブ形態であることを特徴とする請求項９に記載の挿入デバイス。
【請求項１１】
前記第１の収容ガイドと前記第２の収容ガイドは、
前記内部連結部の周縁に位置し、
前記第１の収容ガイドは、第１の収容空間及び前記第２の収容空間のうち、前記第１の案内空間から距離が遠いものに連結されていることを特徴とする請求項１０に記載の挿入デバイス。
【請求項１２】
前記内部連結部は、内部に連結部空間を有し、
前記第１の収容ガイドと前記第２の収容ガイドの少なくとも一部は、前記連結部空間内に位置し、
前記第１の収容ガイドは、第１の収容空間及び前記第２の収容空間のうち、前記第１の案内空間から近いものに連結されていることを特徴とする請求項１０に記載の挿入デバイス。
【請求項１３】
長く延びている外部体；
前記外部体の内部に位置し、放射線源が収容される収容空間を有する内部体；を含み、
前記収容空間は、前記外部体との距離が異なる第１の収容空間と第２の収容空間とを含み、
前記内部体は、前記外部体と分離されて回転される挿入デバイス。
【請求項１４】
前記第１の収容空間及び前記第２の収容空間は、前記内部体に沿って長く形成されていることを特徴とする請求項１３に記載の挿入デバイス。
【請求項１５】
前記収容空間は、前記内部体にトレンチ状に形成されていることを特徴とする請求項１４に記載の挿入デバイス。
【請求項１６】
前記収容空間内に位置する収容空間区画部材をさらに含み、前記第１の収容空間及び前記第２の収容空間が前記収容空間区画部材により分離されることを特徴とする請求項１５に記載の挿入デバイス。
【請求項１７】
前記内部体は、前記外部体より放射線遮蔽性能が高い物質からなることを特徴とする請求項１４に記載の挿入デバイス。
【発明の詳細な説明】
【技術分野】
【０００１】
本発明は、挿入デバイスに関し、特に、近接放射線治療のための体内挿入デバイスに関する。
【背景技術】
【０００２】
ガン患者に対する放射線治療は、大きく分けて２種類に区分できる。患者の体外にある放射線源から腫瘍に放射線を伝達する体外放射線治療と、患者の体内に入った放射線源から放射線を伝達する近接放射線治療と、がある。
【０００３】
このうち、近接放射線治療は、腫瘍内部に放射線源を挿入して治療線量を伝達するため、腫瘍には非常に高い放射線量が伝達されるが、周辺の正常臓器に伝達される放射線量は大きく下げることができるという長所がある。
【０００４】
近接放射線治療は、身体内に挿入される挿入デバイスを介して放射線源を移動させて放射線を照射し、挿入デバイスに放射線照射方向や放射線照射範囲を調節して３次元放射線強度を調節することができる技術が十分に開発されていないという問題がある。
【０００５】
特に、子宮ガンのような位置の腫瘍に放射線を照射するために折り曲げ形態の挿入デバイスを使用すべき場合、挿入デバイスに強度調節機能を付与しにくいという問題がある。
【発明の概要】
【発明が解決しようとする課題】
【０００６】
したがって、本発明の目的は、折り曲げ形態で放射線強度調節が可能な近接放射線治療用挿入デバイスを提供することにある。
【課題を解決するための手段】
【０００７】
前記本発明の目的は、長く延びている第１の外部体、長く延びている第２の外部体、及び前記第１の外部体と前記第２の外部体とを折り曲げられるように連結する折り曲げ部を含む外部体；前記第１の外部体の内部に位置し、放射線源が収容される収容空間を有する第１の内部体；前記第２の外部体の内部に位置し、放射線源が通過できる案内空間を有して回転を操作することができる第２の内部体；及び、前記外部体内で前記折り曲げ部に対応するように位置し、放射線源が通過できるように前記案内空間及び前記収容空間と連通されている連結空間を有し、前記第１の内部体と前記第２の内部体とを連結する内部連結部；を含み、前記収容空間は、前記第１の外部体との距離が異なる第１の収容空間と第２の収容空間とを含み、前記第２の内部体の回転により、前記第１の内部体は、前記第１の外部体と分離されて回転される挿入デバイスにより達成される。
【０００８】
前記第１の収容空間及び前記第２の収容空間は、前記第１の内部体に沿って長く形成されている。
【０００９】
前記収容空間は、前記第１の内部体にトレンチ状に形成されている。
【００１０】
前記収容空間内に位置する収容空間区画部材をさらに含み、前記第１の収容空間及び前記第２の収容空間が前記収容空間区画部材により分離される。
【００１１】
前記内部連結部は、回転動力メカニズムを含む。
【００１２】
前記回転動力メカニズムは、弾性軸、ベローズ、及びジョイントのうち少なくともいずれか一つを含む。
【００１３】
前記内部連結部の一端は、前記第１の内部体に固定されており、他端は、前記第２の内部体に固定されている。
【００１４】
前記第１の内部体は、前記第１の外部体より放射線遮蔽性能が高い物質からなる。
【００１５】
前記案内空間は、互いに分離されている第１の案内空間と第２の案内空間を含み、前記連結空間内で前記第１の案内空間を前記第１の収容空間及び前記第２の収容空間のうちいずれか一つに連結する第１の収容ガイドと；前記連結空間内で前記第１の案内空間を前記第１の収容空間及び前記第２の収容空間のうち他の一つに連結する第２の収容ガイドと；をさらに含む。
【００１６】
前記第１の収容ガイドと前記第２の収容ガイドは、内部に放射線源が通過できるチューブ形態である。
【００１７】
前記第１の収容ガイドと前記第２の収容ガイドは、前記内部連結部の周縁に位置し、前記第１の収容ガイドは、第１の収容空間及び前記第２の収容空間のうち、前記第１の案内空間から距離が遠いものに連結されている。
【００１８】
前記内部連結部は、内部に連結部空間を有し、前記第１の収容ガイドと前記第２の収容ガイドの少なくとも一部は、前記連結部空間内に位置し、前記第１の収容ガイドは、第１の収容空間及び前記第２の収容空間のうち、前記第１の案内空間から近いものに連結されている。
【００１９】
前記本発明の目的は、長く延びている外部体；前記外部体の内部に位置し、放射線源が収容される収容空間を有する内部体；を含み、前記収容空間は、前記外部体との距離が異なる第１の収容空間と第２の収容空間とを含み、前記内部体は、前記外部体と分離されて回転される挿入デバイスにより達成される。
【００２０】
前記第１の収容空間及び前記第２の収容空間は、前記内部体に沿って長く形成されている。
【００２１】
前記収容空間は、前記内部体にトレンチ状に形成されている。
【００２２】
前記収容空間内に位置する収容空間区画部材をさらに含み、前記第１の収容空間及び前記第２の収容空間が前記収容空間区画部材により分離される。
【００２３】
前記内部体は、前記外部体より放射線遮蔽性能が高い物質からなる。
【発明の効果】
【００２４】
本発明によると、折り曲げ形態で放射線強度調節が可能な近接放射線治療用挿入デバイスが提供される。
【図面の簡単な説明】
【００２５】
【図１】本発明の第１の実施例に係る挿入デバイスの斜視図である。
【図２】本発明の第１の実施例に係る挿入デバイスの分解斜視図である。
【図３】図１のIII−III′線における断面図である。
【図４】図１のIV−IV′線における断面図である。
【図５】図２のＶ−Ｖ′線における断面図である。
【図６】図２のVI−VI′線における断面図である。
【図７】図２のVII−VII′線における断面図である。
【図８】本発明の第１の実施例に係る挿入デバイスで第１の内部体と第２の内部体の連結を説明するための図面である。
【図９】本発明の第１の実施例に係る挿入デバイスで第２の内部体の回転による放射線強度調節を示す。
【図１０】本発明の第１の実施例に係る挿入デバイスで第２の内部体の回転による第１の内部体の回転を説明するための図面である。
【図１１ａ】本発明の第１の実施例に係る挿入デバイスで放射線源の位置変化及びこれによる放射線強度調節を示す。
【図１１ｂ】本発明の第１の実施例に係る挿入デバイスで放射線源の位置変化及びこれによる放射線強度調節を示す。
【図１１ｃ】本発明の第１の実施例に係る挿入デバイスで放射線源の位置変化及びこれによる放射線強度調節を示す。
【図１１ｄ】本発明の第１の実施例に係る挿入デバイスで放射線源の位置変化及びこれによる放射線強度調節を示す。
【図１２】本発明の第１の実施例に係る挿入デバイスで放射線源の位置変化及びこれによる放射線強度調節を示す。
【図１３】本発明の第１の実施例に係る挿入デバイスを利用したガン治療を説明するためのものである。
【図１４ａ】本発明の第１の実施例に係る挿入デバイスの変形例を示す。
【図１４ｂ】本発明の第１の実施例に係る挿入デバイスの変形例を示す。
【図１５】本発明の第２の実施例に係る挿入デバイスで内部連結部と収容ガイドを示す。
【図１６】本発明の第２の実施例に係る挿入デバイスで第１の内部体と第２の内部体の連結を示す。
【図１７】本発明の第３の実施例に係る挿入デバイスで第２の外部体及び第２の内部体の断面を示す。
【図１８】本発明の第３の実施例に係る挿入デバイスで第２の外部体及び第２の内部体の断面を示す。
【図１９】本発明の第３の実施例に係る挿入デバイスで第１の内部体と第２の内部体の連結を示す。
【発明を実施するための形態】
【００２６】
以下、図面を参照して本発明をさらに詳細に説明する。
【００２７】
添付図面は、本発明の技術的思想を一層具体的に説明するために示す一例に過ぎないため、本発明の思想が添付図面に限定されるものではない。添付図面は、説明のために各部分の厚さや長さなどが誇張表現されていることがある。本発明において‘放射線の強度’調節は、放射線源がとどまる位置と時間を調節する方法と共に放射線の照射方向及び／または照射範囲を調節する方法により行われる。
【００２８】
図１乃至図８を参照して本発明の第１の実施例に係る挿入デバイスを説明する。
【００２９】
図１は、本発明の第１の実施例に係る挿入デバイスの斜視図であり、図２は、本発明の第１の実施例に係る挿入デバイスの分解斜視図であり、図３は、図１のIII−III′線における断面図であり、図４は、図１のIV−IV′線における断面図であり、図５は、図２のＶ−Ｖ′線における断面図であり、図６は、図２のVI−VI′線における断面図であり、図７は、図２のVII−VII′線における断面図であり、図８は、本発明の第１の実施例に係る挿入デバイスで第１の内部体と第２の内部体の連結を説明するための図面である。
【００３０】
第１の実施例に係る挿入デバイス１は、大いに、外部体１００と内部体２００とで構成される。
【００３１】
外部体１００は、全体外観を形成しており、内部の空いている空間に内部体２００を収容する。第１の実施例において、内部体２００のうち、操作部２２２は、外部体１００の外部に露出されている。
【００３２】
外部体１００は、全体的に細長い形状で折り曲げられている。具体的に見ると、外部体１００は、第１の外部体１１０、第２の外部体１２０、及び折り曲げ部１３０を含み、折り曲げ部１３０により第１の外部体１１０と第２の外部体１２０が折り曲げられるように連結されている。
【００３３】
図５のように、第１の外部体１１０は、細長い第１の部分１１１と直径が拡張された第２の部分１１２からなる。第２の外部体１２０は、直径が一定な円筒形状で形成されている。
【００３４】
このような外部体１００は、多様に形成されることができる。外部体１００全体が一体に形成されることもでき、第１の外部体１１０と第２の外部体１２０を別途に製作した後、溶接または圧入などの方法で結合されることもできる。以外に、第１の外部体１１０及び／または第２の外部体１２０が複数の部分に製作された後に結合された形態であってもよい。または、折り曲げ部１３０も別途に製作して第１の外部体１１０、第２の外部体１２０、及び折り曲げ部１３０を溶接または圧入などの方法で結合することもできる。
【００３５】
一方、他の実施例において、第１の外部体１１０と第２の外部体１２０の折り曲げ程度、即ち、折り曲げ角度が固定されずに調節可能に形成されることもできる。
【００３６】
第１の外部体１１０と第２の外部体１２０の両方とも、長さ方向の垂直方向断面は、円形で形成されており、内部空間の断面も円形で形成されている。第１の外部体１１０は、長さ方向の位置によって断面積に変化があり、全体的には、第１の外部体１１０より第２の外部体１２０の断面積が大きく形成されている。他の実施例では、第１の外部体１１０及び／または第２の外部体１２０の断面は、円形でない楕円形などである。
【００３７】
外部体１００のうち、第１の外部体１１０は、主に治療対象（腫瘍等）と接触／乃至近接するようになり、第１の外部体１１０が治療対象と接触／近接した状態で内部体２００に位置する放射線源（図１１ａ乃至図１１ｄ参照）からの放射線が治療対象に照射される。第１の外部体１１０は、チタニウムのように原子番号が低い金属物質またはプラスチックのように非金属物質で製作される。
【００３８】
第２の外部体１２０は、一部が身体内に挿入され、一部は外部に露出される。第２の外部体１２０は、ステンレススチールのような金属物質またはプラスチックのような非金属物質で製作される。
【００３９】
内部体２００は、第１の内部体２１０、第２の内部体２２０、内部連結部２３０、第１の収容ガイド２４１、第２の収容ガイド２４２、及び収容空間区画部材２５０を含む。
【００４０】
第１の内部体２１０は、長く延びている第１の部分２１１と幅が増加された第２の部分２１２とを含む。
【００４１】
図３及び図６のように、第１の内部体２１０の第１の部分２１１には長さ方向に沿って長く延びている第１の収容空間２１１ａ及び第２の収容空間２１１ｂが形成されている。第１の内部体２１０の第２の部分２１２には、第１のガイド空間２１２ａと第２のガイド空間２１２ｂが形成されている。第１のガイド空間２１２ａは、第１の収容空間２１１ａと連結されており、第２のガイド空間２１２ｂは、第２の収容空間２１１ｂと連結されている。
【００４２】
全体収容空間２１１ａ、２１１ｂは、トレンチ状に形成されている。第１の収容空間２１１ａと第２の収容空間２１１ｂは、収容空間区画部材２５０により区画されて上下方向に配置されている。収容空間区画部材２５０は、薄い板状からなっており、これに限定されるものではなく、チタニウムからなってもよい。収容空間区画部材２５０は、第１の内部体２１０に長さ方向に沿って長く形成されている区画部材収容溝２１３に長さ方向の両端部が挿入されて位置が固定される。
【００４３】
このように第１の収容空間２１１ａと第２の収容空間２１１ｂは、第１の外部体１１０との距離が異なるように、及び／または第１の内部体２１０の断面中心からの距離が異なるように配置されている。放射線源は、第１の収容空間２１１ａと第２の収容空間２１１ｂのうち、どこに収容されるかによって放射線と第１の内部体２１０との干渉が変わり、それによって、外部に放出される放射線の照射範囲が変わる。
【００４４】
第１の実施例において、第１の内部体２１０の第１の部分２１１の断面中心は、下部に位置する第２の収容空間２１１ｂから離隔されている。
【００４５】
第１のガイド空間２１２ａ及び第２のガイド空間２１２ｂは、傾斜するように形成されており、第２の部分２１２の端部面で見ると、中心領域（Ａ）を間に置いて上下方向に配置されている。
【００４６】
図４及び図７のように、第２の内部体２２０は、長く延びている第１の部分２２１と幅が増加された第２の部分（操作部）２２２からなっている。操作部２２２は、外部体１００の端部外部に露出されており、ユーザは、操作部２２２を回転させて照射方向を変化させる。
【００４７】
第２の内部体２２０には長さ方向に沿って長く延びている第１の案内空間２２１ａと第２の案内空間２２１ｂが形成されている。第１の案内空間２２１ａと第２の案内空間２２１ｂの断面は、円形であり、一定の直径を有している。
【００４８】
第１の部分２２１の端部面を見ると、中心領域（Ｂ領域）を間に置いて第１の案内空間２２１ａと第２の案内空間２２１ｂが上下方向に配置されている。
【００４９】
図２及び図８のように、第１の内部体２１０と第２の内部体２２０は、離隔されて折り曲げ部１３０に対応する連結空間１３１が存在する。
【００５０】
連結空間１３１には内部連結部２３０、第１の収容ガイド２４１、及び第２の収容ガイド２４２が位置し、第１の内部体２１０と第２の内部体２２０を連結する。
【００５１】
内部連結部２３０は、第１の内部体２１０の第２の部分２１２の端部面の中心領域（Ａ領域）と第２の内部体２２０の第１の部分２２１の端部面の中心領域（Ｂ領域）とを連結する。
【００５２】
内部連結部２３０は、互いに交差する２軸間の回転動力伝達メカニズムであり、これに限定されるものではないが、弾性軸（flexible shaft）、ベローズ（bellows）、及びジョイント（joint）のうち少なくともいずれか一つである。特に、内部連結部２３０は、管形態の弾性軸で形成され、特に、高炭素鋼ワイヤーからなることができ、ワイヤーが多層形態である。本発明において、内部連結部２３０は、第２の内部体２２０の回転動きを第１の内部体２１０に伝達できるならば、多様な形態が可能である。
【００５３】
内部連結部２３０と内部体２１０、２２０との連結は、溶接やブレージングなどの方法により実行されることができる。
【００５４】
ガイド空間２１２ａ、２１２ｂと案内空間２２１ａ、２２１ｂは、収容ガイド２４１、２４２により連結されている。収容ガイド２４１、２４２は、内部空間を有するチューブ形状を有しており、材質は、これに限定されないが、金属または樹脂である。
【００５５】
具体的に見ると、第１の収容ガイド２４１は、下部に位置する第２のガイド空間２１２ｂと上部に位置する第１の案内空間２２１ａを連結し、第２の収容ガイド２４２は、上部に位置する第１のガイド空間２１２ａと下部に位置する第２の案内空間２２１ｂを連結する。このような交差方式の連結は、回転により折り曲げ部１３０で発生する放射線源の経路長さ差を補償するためである。即ち、放射線源が第１の収容空間２１１ａに位置する場合と第２の収容空間２１１ｂに位置する場合、回転による全体経路長さ差が変化しないようにする。
【００５６】
収容ガイド２４１、２４２と第１の内部体２１０及び第２の内部体２２０との連結は、溶接、ブレージングまたは接着などの多様な方式により行われる。
【００５７】
交差方式の連結により、図８のように、第１の収容ガイド２４１と第２の収容ガイド２４２は、内部連結部２３０を間に置いて互いにねじられるように配置される。
【００５８】
以上、説明した内部体２００の構成により外部から放射線源が第１の案内空間２２１ａに挿入されると、第１の収容ガイド２４１及び第２のガイド空間２１２ｂを経て第１の内部体２１０の中心部に位置する第２の収容空間２１１ｂに位置する。また、外部から放射線源が第２の案内空間２２１ｂに挿入されると、第２の収容ガイド２４２及び第１のガイド空間２１２ａを経て第１の内部体２１０の外郭に位置する第１の収容空間２１１ａに位置する。
【００５９】
以下、図９乃至図１２を参照して第１の実施例に係る挿入デバイスで放射線強度調節を説明する。
【００６０】
図９は、本発明の第１の実施例に係る挿入デバイスで第２の内部体の回転による放射線強度調節を示し、図１０は、本発明の第１の実施例に係る挿入デバイスで第２の内部体の回転による第１の内部体の回転を説明するための図面であり、図１１ａ乃至図１１ｄ、及び図１２は、本発明の第１の実施例に係る挿入デバイスで放射線源の位置変化及びこれによる放射線強度調節を示す。
【００６１】
第１の実施例に係る挿入デバイス１では放射線源の挿入位置選択及び調節部２２２操作を介して放射線の照射方向と照射範囲を調節することができる。
【００６２】
前記説明したように、放射線源は、挿入時、案内空間２２１ａ、２２１ｂの選択によって第１の内部体２１０内での位置が決定される。即ち、案内空間２２１ａ、２２１ｂの選択によって第１の内部体２１０の中心部に位置し、または中心部から離隔されて位置できる。収容空間２１１ａ、２１１ｂ内に長さ方向への放射線源の位置は、多様に調節されることができる。
【００６３】
図８のように、外部に露出された操作部２２２を回転させると、図１０のように、第２の内部体２２０の第１の部分２２１が回転する。第１の部分２２１の回転力は、内部連結部２３０により第１の内部体２１０に伝達されて第１の内部体２１０が回転し、第1の収容ガイド２４１及び第２の収容ガイド２４２の位置及び形状も変化するようになる。第１の内部体２１０の回転により収容空間２１１ａ、２１１ｂに位置する放射線源の照射方向が変化するようになる。
【００６４】
以上のような放射線源の第１の内部体２１０内での収容空間２１１ａ、２１１ｂの選択及び回転により図１１ａ乃至図１１ｄのように放射線の照射方向と照射範囲が変化する。
【００６５】
これに対して詳細に説明すると、図１１ａ及び図１１ｂのように、放射線源の回転を調節して放射線の照射方向を調節することができる。また、図１１ａと図１１ｄのように放射線源の収容空間２１１ａ、２１１ｂを変更することで、放射線の照射範囲を変化させることができる。これをさらに詳細に説明すると、下記の通りである。
【００６６】
放射線源からの放射線は、放射状に放出される。放射線源が図１１ａのように中心部に位置する場合、放射線源と第１の外部体１１０との間に位置する第１の内部体２１０により放射線の放出角度が制限されて放射線が狭い放射範囲を有する。それに対し、放射線源が図１１ｄのように中心部から離隔されて位置すると、第１の内部体２１０による放出角度制限が少なくて放射線が広い放射範囲を有する。
【００６７】
一方、前記説明した照射方向と反対方向への放射線は、第１の内部体２１０の厚さにより遮断される。第１の内部体２１０は、第１の外部体１１０より放射線遮蔽能が高い物質からなる。
【００６８】
それによって、図１２のように、広い放射線照射範囲を有する照射１、及び狭い放射線照射範囲を有し、且つ照射１と異なる方向に放射線を放出する照射２のような放射線分布を得ることができる。即ち、放射線の照射方向と照射範囲を全て調節することができる。
【００６９】
一方、図面に示すものと違って、照射方向は、９０度や１８０度調節に限定されずに、連続的に調節できることはもちろんである。
【００７０】
このように操作部２２２の回転によって放射線照射方向が変化し、放射線の照射方向変化程度は、操作部２２２の回転程度の１０％乃至１００％、３０％乃至１００％、５０％乃至１００％、８０％乃至１００％である。
【００７１】
操作部２２２の構成は、多様に変化されることができる。他の実施例では、放射線源の方向調節の精密度を向上させるために操作部２２２の回転程度による放射線照射方向の変化程度の比率を変化させるために、別途の装置をさらに含むことができる。他の実施例では、操作部２２２は、第２の内部体２２０と一体に形成されない、または第２の内部体２２０に操作部２２２を構成せずに、第２の内部体２２０と連結された別途の構成を介して第２の内部体２２０を回転させることができる。他の実施例では、第２の内部体２２０は、別途の機械電子装置を介して回転させることができる。
【００７２】
以上の本発明による挿入デバイスを利用すると、近接放射線治療を効果的に実行することができ、これを図１３を参照して説明する。
【００７３】
挿入デバイス１を身体内に挿入後、放射線源を挿入デバイス１内に導入する。挿入が完了した状態で操作部２２２及び第２の外部体１２０の一部が身体外に露出される。また、身体内の折り曲げ構造に合わせて第１の外部体１１０が腫瘍の位置に挿入される。他の実施例では、挿入デバイス１内に放射線源を導入した後、挿入デバイス１を身体内に挿入することもできる。
【００７４】
この状態で医療陣は既存検診を介して確認された腫瘍の形態及び位置に基づいて放射線源の第１の外部体１１０の長さ方向による位置、照射方向及び照射範囲を調節する。ここで、放射線源の照射方向は、操作部２２２を操作して調節し、照射範囲は、放射線源が挿入される案内空間２２１ａ、２２１ｂの選択により調節する。
【００７５】
図１３のような腫瘍形態に対して放射線源の位置が決められると、例えば、腫瘍が均一な厚さで広く分布する方向には照射範囲を広くして照射時間が最小化されるようにする。それに対し、腫瘍が不均一な厚さで狭く存在する方向には照射範囲を狭くして周辺正常臓器への放射線照射が最小化されるようにする。
【００７６】
このような治療過程で、本発明の挿入デバイス１の使用により、放射線照射方向及び照射範囲を容易に調節でき、それによって、腫瘍にのみ限定して放射線量を伝達することができ、同時に治療時間を大幅に減らすことができる。
【００７７】
以上、説明では子宮ガン治療を例示したが、本発明による挿入デバイスは、これに限定されずに、頭頚部ガン、食道ガン、直腸ガンなどに対しても適用可能である。
【００７８】
図１４ａ及び図１４ｂは、本発明の第１の実施例に係る挿入デバイスの変形例を示す。
【００７９】
第１の収容空間２１１ａ及び第２の収容空間２１１ｂは、多様に変化できる。
【００８０】
図１４ａに表示した変形例のように、収容空間２１１ａ、２１１ｂを形成するトレンチは、外郭へ行くほど幅が広くなるように形成されることができる。トレンチの形状によって、放射線照射形態が変化されることができる。
【００８１】
図１４ｂに表示した変形例では、収容空間２１１ａ、２１１ｂを形成するトレンチが第１の内部体２１０の中心を過ぎるように形成されている。
【００８２】
一方、本発明での収容空間は、２個に限定されずに３個以上に形成されることもできる。
【００８３】
図示されていないが、本発明の挿入デバイスは、外部体１００が屈曲なしで形成されることもできる。この場合、外部体１００は、一体に形成されることができる。また、この場合、内部体２００も屈曲なしで形成され、内部体２００も一体に形成されることができる。
【００８４】
図１５及び図１６を参照して本発明の第２の実施例に係る挿入デバイスを説明する。
【００８５】
図１５は、本発明の第２の実施例に係る挿入デバイスで内部連結部と収容ガイドを示し、図１６は、本発明の第２の実施例に係る挿入デバイスで第１の内部体と第２の内部体の連結を示す。
【００８６】
第２の実施例では、内部連結部２３０の直径が第１の実施例より大きく形成されており、内部連結部２３０内には連結部空間２３１がある。収容ガイド２４１、２４２は、連結部空間２３１内に位置する。
【００８７】
第１の収容ガイド２４１は、上部に位置した第１の案内空間２２１ａと上部に位置した第１のガイド空間２１２ａを連結し、第２の収容ガイド２４２は、下部に位置した第２の案内空間２２１ｂと下部に位置した第２のガイド空間２１２ｂを連結する。
【００８８】
即ち、第２の実施例では、収容ガイド２４１、２４２の連結が交差形態でない。
【００８９】
第２の実施例では、放射線源が第１の収容空間２１１ａに位置する場合と第２の収容空間２１１ｂに位置する場合、回転により全体経路の長さ変化が連結部空間２３１内で収容されるようにする。
【００９０】
図１７乃至図１９を参照して本発明の第３の実施例に係る挿入デバイスを説明する。
【００９１】
図１７及び図１８は、本発明の第３の実施例に係る挿入デバイスで第２の外部体及び第２の内部体の断面を示し、図１９は、本発明の第３の実施例に係る挿入デバイスで第１の内部体と第２の内部体の連結を示す。
【００９２】
第３の実施例において、第２の内部体２２０は、案内ガイド２２３、２２４をさらに含む。
【００９３】
案内ガイド２２３は、第１の案内ガイド２２３と第２の案内ガイド２２４を含み、両案内ガイド２２３、２２４は、同じ構成を有する。第１の案内ガイド２２３を説明すると、下記の通りである。
【００９４】
第１の案内ガイド２２３は、第１の案内空間２２１ａに挿入されている第１の部分２２３ａと、外部に露出されている第２の部分２２３ｂとを含み、第２の部分２２３ｂは、第１の部分２２３ａに比べて直径が拡張されている。第１の案内ガイド２２３には放射線源が通過する第１の通過空間２２３ｃが形成されている。第１の通過空間２２３ｃは、第２の部分２２３ｂでは拡張されており、拡張された第１の通過空間２２３ｃにより放射線源の挿入が容易になる。
【００９５】
ユーザは、外部に露出された第２の部分２２３ｂ、２２４ｂを回転させて放射線の照射方向を調節することができる。
【００９６】
第３の実施例では、第１の収容ガイド２４１は、上部に位置した第１の案内空間２２１ａと上部に位置した第１のガイド空間２１２ａとを連結し、第２の収容ガイド２４２は、下部に位置した第２の案内空間２２１ｂと下部に位置した第２のガイド空間２１２ｂを連結する。具体的には、第１の収容ガイド２４１は、第１の通過空間２２３ｃに連結され、第２の収容ガイド２４２は、第２の通過空間２２４ｃに連結される。
【００９７】
即ち、第３の実施例でも、収容ガイド２４１、２４２の連結が交差形態でない。
【００９８】
第３の実施例では、放射線源が第１の収容空間２１１ａに位置する場合と第２の収容空間２１１ｂに位置する場合、回転による全体経路の長さ差ほど第１の案内ガイド２２３が第２の案内ガイド２２４より後方に押し出されるように構成される。
【００９９】
前述した実施例は、本発明を説明するための例示であって、本発明がこれに限定されるものではない。本発明が属する技術分野において、通常の知識を有する者であれば、これから多様に変形して本発明を実施することが可能であるため、本発明の技術的保護範囲は、添付された特許請求範囲により決められなければならない。
【符号の説明】
【０１００】
１  挿入デバイス
１００  外部体
１１０  第１の外部体
１２０  第２の外部体
１３０  折り曲げ部
２００  内部体
２１０  第１の内部体
２１１ａ  第１の収容空間
２１１ｂ  第２の収容空間
２２０  第２の内部体
２３０  内部連結部
【図１】
2021500161.tif 000003
【図２】
2021500161.tif 000004
【図３】
2021500161.tif 000005
【図４】
2021500161.tif 000006
【図５】
2021500161.tif 000007
【図６】
2021500161.tif 000008
【図７】
2021500161.tif 000009
【図８】
2021500161.tif 000010
【図９】
2021500161.tif 000011
【図１０】
2021500161.tif 000012
【図１１ａ】
2021500161.tif 000013
【図１１ｂ】
2021500161.tif 000014
【図１１ｃ】
2021500161.tif 000015
【図１１ｄ】
2021500161.tif 000016
【図１２】
2021500161.tif 000017
【図１３】
2021500161.tif 000018
【図１４ａ】
2021500161.tif 000019
【図１４ｂ】
2021500161.tif 000020
【図１５】
2021500161.tif 000021
【図１６】
2021500161.tif 000022
【図１７】
2021500161.tif 000023
【図１８】
2021500161.tif 000024
【図１９】
2021500161.tif 000025
【国際調査報告】
2021500161.tif 000026
2021500161.tif 000027
2021500161.tif 000028
2021500161.tif 000029